(57)【特許請求の範囲】
【請求項１】
建物の外壁に用いられる締結具であって、
外壁の室外側から室内側まで貫通する貫通孔に挿入される軸部、及び軸部の一方の端部に設けられ、かつ外壁の室外側に配置される頭部を有するボルトと、
外壁の室内側において、ボルトの軸部に螺合するナットと、
ボルトの軸部の外側に嵌められ、かつボルトの頭部と外壁の室外側の面との間に配置される座金と、
座金とボルトの頭部との間に配置され、これらの間の隙間をボルトの軸部の周囲の全周にわたって塞ぐ第１シール部材と、
座金と外壁の室外側の面との間に配置され、これらの間の隙間をボルトの軸部の周囲の全周にわたって塞ぐ第２シール部材と、
ボルトの軸部の外側に嵌められ、かつ外壁の室内側の面とナットとの間に配置され、ボルトに対するナットの締め付けが緩んだ際においても、第１シール部材が座金及びボルトの頭部の双方に圧接するとともに、第２シール部材が座金及び外壁の室外側の面の双方に圧接するようにボルトを付勢する付勢部材と
を備え、
座金の一方の面には第１シール部材が予め貼付され、
座金の他方の面には第２シール部材が予め貼付され、
第１シール部材の座金とは反対側の面には粘着層が形成され、
第２シール部材の座金とは反対側の面には粘着層が形成され、
第１シール部材及び第２シール部材が貼付された座金をボルトの軸部の外側に嵌めて、ボルトの軸部を貫通孔に挿入すると、ボルトの頭部と第１シール部材とが粘着層によって接着されるとともに、外壁の室外側の面と第２シール部材とが粘着層によって接着される
ことを特徴とする締結具。
【請求項２】
丸太組構法によって構築された外壁に用いられる締結具であって、
外壁の室外側から室内側まで貫通する貫通孔に挿入される軸部、及び軸部の一方の端部に設けられ、かつ外壁の室外側に配置される頭部を有するボルトと、
外壁の室内側において、ボルトの軸部に螺合するナットと、
ボルトの軸部の外側に嵌められ、かつボルトの頭部と外壁の室外側の面との間に配置される座金と、
座金とボルトの頭部との間に配置され、これらの間の隙間をボルトの軸部の周囲の全周にわたって塞ぐ第１シール部材と、
座金と外壁の室外側の面との間に配置され、これらの間の隙間をボルトの軸部の周囲の全周にわたって塞ぐ第２シール部材と、
ボルトの軸部の外側に嵌められ、かつ外壁の室内側の面とナットとの間に配置され、かつ弾性変形可能な付勢部材とを備え、
座金の一方の面には第１シール部材が予め貼付され、
座金の他方の面には第２シール部材が予め貼付され、
第１シール部材の座金とは反対側の面には粘着層が形成され、
第２シール部材の座金とは反対側の面には粘着層が形成され、
第１シール部材及び第２シール部材が貼付された座金をボルトの軸部の外側に嵌めて、ボルトの軸部を貫通孔に挿入すると、ボルトの頭部と第１シール部材とが粘着層によって接着されるとともに、外壁の室外側の面と第２シール部材とが粘着層によって接着され、
ボルトに対してナットが締め付けられた状態では、付勢部材が圧縮され、かつ第１シール部材が座金及びボルトの頭部の双方に圧接するとともに、第２シール部材が座金及び外壁の室外側の面の双方に圧接し、
振動又は外壁を構成する木材の収縮によりボルトに対するナットの締め付けが緩んだ状態では、圧縮された付勢部材が元の状態に戻る際の復元力により、第１シール部材が座金及びボルトの頭部の双方に圧接するとともに、第２シール部材が座金及び外壁の室外側の面の双方に圧接することを特徴とする締結具。
【発明の詳細な説明】
【技術分野】
【０００１】
本発明は、建物の外壁に用いられる締結具に関する。
【背景技術】
【０００２】
ログハウスの代表的な構法として、丸太組構法が挙げられる。丸太組構法は、丸太、製材その他これに類する木材（以下「ログ材」という）を水平に積み上げることにより壁を構築する構法をいう。また、丸太組構法によって構築される外壁は、ログ外壁と呼ばれ、ログハウスの構造躯体を構成する。
また、丸太組構法以外のログハウスの構法として、ポストアンドビーム構法やピーセンピース構法が挙げられる。
【０００３】
ポストアンドビーム構法は、ログ材を柱と梁の軸材にのみ使用し、外壁部分にはログ材を使用しない構法をいう。ポストアンドビーム構法では、ログ材は、軸材としてログハウスの構造躯体を構成する。
また、ピーセンピース構法は、上述したポストアンドビーム構法のようにログ材を柱と梁の軸材として使用し、かつ、ログ材の柱と柱の間にログ材を水平に土台から梁まで積み重ねて外壁を構築する構法をいう。
いずれの構法にせよ、ログハウスと呼ばれる建物には、ログハウスの構造躯体を構成するログ材を仕上げ材等で被覆せず、ログ材の表面が防水面として建物の室外側に表出するという共通した特徴がある。
【０００４】
ここで、ログ材に梁を接合する場合には、たとえば、ログ材の室内側に梁受け金物を取り付け、この梁受け金物で梁の端部を受ける。
具体的には、ログ材における、梁受け金物の取り付け位置に、ログ材の室外側から室内側まで貫通する貫通孔を設け、この貫通孔の位置に、梁受け金物のボルト孔を合わせる。そして、ログ材の室外側から貫通孔及びボルト孔にボルトの軸部を挿入し、室内側においてボルトの軸部にナットを螺合させて締め付ける。このようにして、ログ材の室内側に梁受け金物を取り付ける。
【０００５】
このとき、ボルトの頭部がログ材に座屈するのを防止するために、ボルトの軸部の外側に座金を嵌め、これをボルトの頭部とログ材の室外側の面との間に配置する。
また、ログ材として、たとえば、断面がアルファベットの「Ｄ」のような形状の、いわゆるＤ形ログ材を用いることがある。このＤ形ログ材は、凸曲面が室外側を向くように配置される。このため、ログ外壁の室外側の壁面が、上下方向に凹凸を繰り返す形状になるので、凸曲面における貫通孔の周囲に座掘りを形成し、この座掘り内にボルトの頭部及び座金を収めるようにする。
さらに、上述した梁受け金物に加えて、ログ外壁の室内側における梁の接合位置にほぞ穴を設け、このほぞ穴に梁の端部を差し込むことがある。
【０００６】
ところで、ログ材は、年月が経過すると、乾燥により収縮する。特に、Ｄ形ログ材は、断面が四角形状の、いわゆるＩ形ログ材と比較すると、乾燥による収縮幅が大きい。そして、ログ外壁の構築時にはボルトに対してナットをしっかりと締め付けていても、年月が経過し、ログ材が乾燥により収縮していくに従って、ボルトに対するナットの締め付けが次第に緩んでくる。また、振動により、ボルトに対するナットの締め付けが緩むこともある。そうすると、ログ材と梁との間にガタツキが生じるのみならず、ボルトの頭部と座金との間や、座金とログ材の室外側の面との間に隙間が生じ、この隙間を介して貫通孔内に雨水が浸入し、ひいてはログ外壁の室内側まで雨水が浸入してくることがある。
【０００７】
そこで、従来は、ボルト頭及び座金を収めた座掘り内にコーキング剤を充填し、たとえボルトに対するナットの締め付けが緩んでも、上記の隙間から貫通孔内や室内に雨水が浸入しないようにしていた。
【０００８】
なお、先行技術として、たとえば、座金の貫通孔の周囲に、ボルトの頭部側に向かって突出する内周側屈曲部を設けるとともに、ボルトの頭部の下面に、内周側屈曲部が入り込む円形溝を設けることにより、締結が緩んでも雨水が浸入しにくい締結部材が提案されている（特許文献１参照）。
また、防水シートと防水布とをボルト及びナットで固定するとともに、防水布とボルトとの間に生じる隙間を水密性材料で処理する方法が提案されている（特許文献２参照）。
【先行技術文献】
【特許文献】
【０００９】
【特許文献１】実用新案登録第３０５０５５１号公報
【特許文献２】特開２００２−３６４２９８号公報
【発明の概要】
【発明が解決しようとする課題】
【００１０】
しかし、貫通孔内や室内に雨水等が浸入しないようにするために、ボルト頭及び座金を収めた座掘り内にコーキング剤を充填すると、まず、コーキング剤を充填するという作業が煩雑である。
また、コーキング剤は、年月が経過するに従って、次第に劣化していく。特に、ログ外壁の室外側は人目に触れることから、そこに設けた座掘り内に充填したコーキング剤が劣化すると、ログハウスの美観を損なうことになる。
【００１１】
さらに、上述したように、年月が経過するに従って、ログ材が乾燥により収縮し、ボルトに対するナットの締め付けが次第に緩んでくる。そうすると、ボルトに対してナットを締め直す必要が生じる。この場合、座掘り内に充填したコーキング剤を一旦取り除き、ボルトに対してナットを締め直した後で、コーキング剤を座掘り内に再度充填し直すことになる。このため、ボルトに対してナットを締め直す際の作業が煩雑である。
【００１２】
なお、上述した課題は、ログ外壁のように、構造材のみから構成され、仕上げ材等を含まない外壁にのみ生じるものではない。ここで、外壁において、室外側から室内側へ向けて雨水等の水が浸入するのを阻止する機能を有する面を防水面とする。一般的な外壁においては、室外側の防水面と仕上げ面とが一致するが、たとえば、構造材の室外側が仕上げ材で被覆され、構造材の室外側の面が防水面とされるとともに、仕上げ材の室外側の面が仕上げ面とされる外壁においては、室外側の防水面と仕上げ面とが一致しない。そして、上述した課題は、たとえば、室外側の防水面と仕上げ面とが一致しない外壁において、室外側の防水面から室内側まで貫通する貫通孔を設け、この貫通孔に挿入したボルトで、外壁の室内側に金物等を取り付ける場合にも生じ得るものである。
【００１３】
したがって、本発明が解決しようとする課題は、外壁の室外側から室内側まで貫通する貫通孔を設け、この貫通孔に挿入したボルトで、外壁の室内側に金物等を取り付ける場合において、外壁の構築時やボルトに対するナットの締め直し時における作業が煩雑にならないようにしつつ、かつ建物の美観を損なわないようにしつつ、貫通孔を通じて室外側から室内側へ向けて雨水等の水が浸入しないようにすることである。
【課題を解決するための手段】
【００１４】
（請求項１）
請求項１記載の発明は、建物の外壁10に用いられる締結具であって、外壁10の室外側から室内側まで貫通する貫通孔12に挿入される軸部31、及び軸部31の一方の端部に設けられ、かつ外壁10の室外側に配置される頭部32を有するボルト30と、外壁10の室内側において、ボルト30の軸部31に螺合するナット80と、ボルト30の軸部31の外側に嵌められ、かつボルト30の頭部32と外壁10の室外側の面との間に配置される座金40と、座金40とボルト30の頭部32との間に配置され、これらの間の隙間をボルト30の軸部31の周囲の全周にわたって塞ぐ第１シール部材50と、座金40と外壁10の室外側の面との間に配置され、これらの間の隙間をボルト30の軸部31の周囲の全周にわたって塞ぐ第２シール部材60と、ボルト30の軸部31の外側に嵌められ、かつ外壁10の室内側の面とナット80との間に配置され、ボルト30に対するナット80の締め付けが緩んだ際においても、第１シール部材50が座金40及びボルト30の頭部32の双方に圧接するとともに、第２シール部材60が座金40及び外壁10の室外側の面の双方に圧接するようにボルト30を付勢する付勢部材70とを備え、座金40の一方の面には第１シール部材50が予め貼付され、座金40の他方の面には第２シール部材60が予め貼付され、第１シール部材50の座金40とは反対側の面には粘着層が形成され、第２シール部材60の座金40とは反対側の面には粘着層が形成され、第１シール部材50及び第２シール部材60が貼付された座金40をボルト30の軸部31の外側に嵌めて、ボルト30の軸部31を貫通孔12に挿入すると、ボルト30の頭部32と第１シール部材50とが粘着層によって接着されるとともに、外壁10の室外側の面と第２シール部材60とが粘着層によって接着されることを特徴とする。
【００１５】
（請求項２）
請求項２記載の発明は、丸太組構法によって構築された外壁10に用いられる締結具であって、外壁10の室外側から室内側まで貫通する貫通孔12に挿入される軸部31、及び軸部31の一方の端部に設けられ、かつ外壁10の室外側に配置される頭部32を有するボルト30と、外壁10の室内側において、ボルト30の軸部31に螺合するナット80と、ボルト30の軸部31の外側に嵌められ、かつボルト30の頭部32と外壁10の室外側の面との間に配置される座金40と、座金40とボルト30の頭部32との間に配置され、これらの間の隙間をボルト30の軸部31の周囲の全周にわたって塞ぐ第１シール部材50と、座金40と外壁10の室外側の面との間に配置され、これらの間の隙間をボルト30の軸部31の周囲の全周にわたって塞ぐ第２シール部材60と、ボルト30の軸部31の外側に嵌められ、かつ外壁10の室内側の面とナット80との間に配置され、かつ弾性変形可能な付勢部材70とを備え、座金40の一方の面には第１シール部材50が予め貼付され、座金40の他方の面には第２シール部材60が予め貼付され、第１シール部材50の座金40とは反対側の面には粘着層が形成され、第２シール部材60の座金40とは反対側の面には粘着層が形成され、第１シール部材50及び第２シール部材60が貼付された座金40をボルト30の軸部31の外側に嵌めて、ボルト30の軸部31を貫通孔12に挿入すると、ボルト30の頭部32と第１シール部材50とが粘着層によって接着されるとともに、外壁10の室外側の面と第２シール部材60とが粘着層によって接着され、ボルト30に対してナット80が締め付けられた状態では、付勢部材70が圧縮され、かつ第１シール部材50が座金40及びボルト30の頭部32の双方に圧接するとともに、第２シール部材60が座金40及び外壁10の室外側の面の双方に圧接し、振動又は外壁10を構成する木材11の収縮によりボルト30に対するナット80の締め付けが緩んだ状態では、圧縮された付勢部材70が元の状態に戻る際の復元力により、第１シール部材50が座金40及びボルト30の頭部32の双方に圧接するとともに、第２シール部材60が座金40及び外壁10の室外側の面の双方に圧接することを特徴とする。
【００１６】
本発明は、建物の外壁10に用いられる締結具に係るものであり、特に、外壁10の室外側から室内側まで貫通する貫通孔12を設け、この貫通孔12に挿入したボルト30で、外壁10の室内側に金物等を取り付ける場合において、貫通孔12を通じて室外側から室内側へ向けて雨水等の水が浸入するのを防止するものである。
たとえば、丸太組構法によって構築された外壁10（ログ外壁10）に梁15を接合する場合には、外壁10の室外側から室内側まで貫通する貫通孔12を設け、この貫通孔12に挿入したボルト30で、外壁10の室内側に梁受け金物20を取り付け、この梁受け金物20で梁15の端部を受けることがある。そして、本発明に係る締結具は、このような場合に用いることができるものである。また、本発明に係る締結具の用途は、これに限られるものではなく、建物全般にわたるものである。
【００１７】
まず、「貫通孔12」は、外壁10の室外側から室内側まで貫通する孔である。
ここで、外壁10において、室外側から室内側へ向けて雨水等の水が浸入するのを阻止する機能を有する面を防水面とする。
たとえば、ログ外壁10のように、構造材のみから構成され、仕上げ材等を含まない外壁10においては、室外側の防水面と仕上げ面とが一致する。この場合、貫通孔12は、外壁10の室外側の面（防水面かつ仕上げ面）から室内側の面（仕上げ面）まで貫通するように形成される。
また、ログ材11として、たとえば、断面がＤ字形のＤ形ログ材11を用い、凸曲面が室外側を向くように配置することがある。この場合、ログ外壁10の室外側の面（防水面かつ仕上げ面）が、上下方向に凹凸を繰り返す形状になるので、凸曲面における貫通孔12の周囲に座掘り13を形成し、この座掘り内にボルト30の頭部32及び座金40を収めるようにする。この場合、座掘り13の底面が、防水面かつ仕上げ面となる。
【００１８】
また、たとえば、構造材の室外側が仕上げ材で被覆され、構造材の室外側の面が防水面とされるとともに、仕上げ材の室外側の面が仕上げ面とされる外壁10においては、貫通孔12は、外壁10を構成する構造材の室外側の面（防水面）から室内側の面（仕上げ面）まで貫通するように形成される。
すなわち、貫通孔12は、外壁10の室外側の防水面から室内側まで貫通するように形成されるものである。
【００１９】
また、貫通孔12の内径は、ボルト30の軸部31の直径とほぼ同一か、又はボルト30の軸部31の直径よりもわずかに大きい程度に設定することが好ましい。
また、「ボルト30」は、「軸部31」と、軸部31の一方の端部に設けた「頭部32」とを有している。ボルト30の軸部31は、室外側から室内側に向けて貫通孔12に挿入し、ボルト30の頭部32は、外壁10の室外側に配置する。このとき、ボルト30の軸部31の先端付近を、外壁10の室内側に突出させる。すなわち、ボルト30の長さは、ボルト30の軸部31を貫通孔12に挿入し、ボルト30の頭部32を外壁10の室外側に当接させた際に、ボルト30の軸部31の先端付近が外壁10の室内側に突出する程度に設定することが好ましい。そして、外壁10の室内側において、ボルト30の軸部31に「ナット80」を螺合させる。
【００２０】
また、「座金40」は、ボルト30の軸部31の外側に嵌められ、かつボルト30の頭部32と外壁10の室外側の面（防水面）との間に配置される。座金40は、金属製のものを用いることが好ましい。また、座金40の内径は、ボルト30の軸部31の直径よりもわずかに大きい程度に設定し、座金40の外径は、ボルト30の頭部32の直径とほぼ同一か、又はボルト30の頭部32の直径よりもやや大きい程度に設定することが好ましい。
【００２１】
また、「第１シール部材50」及び「第２シール部材60」は、外壁10の室外側から貫通孔12内に雨水等が浸入しないようにするためのものである。第１シール部材50は、座金40とボルト30の頭部32との間に配置され、これらの間の隙間をボルト30の軸部31の周囲の全周にわたって塞ぐものであり、第２シール部材60は、座金40と外壁10の室外側の面（防水面）との間に配置され、これらの間の隙間をボルト30の軸部31の周囲の全周にわたって塞ぐものである。
【００２２】
第１シール部材50及び第２シール部材60は、たとえば、アクリルやブチル等の樹脂材料を用いて形成することができる。
また、たとえば、第１シール部材50及び第２シール部材60を、内径及び外径が座金40とほぼ同一のリング状に形成し、座金40の一方の面（表面）に第１シール部材50を、他方の面（裏面）に第２シール部材60を、それぞれ予め貼り付けておく。そうすると、ボルト30の軸部31の外側に座金40を嵌め、その後、ボルト30の軸部31を室外側から室内側に向けて貫通孔12に挿入すれば、座金40とボルト30の頭部32との間に第１シール部材50を配置するとともに、座金40と外壁10の室外側の面（防水面）との間に第２シール部材60を配置することができる。これにより、現場での作業性を向上させることができる。
【００２３】
また、上述したように、第１シール部材50及び第２シール部材60をリング状に形成し、座金40の一方の面に第１シール部材50を、他方の面に第２シール部材60を、それぞれ予め貼り付けておく。さらに、第１シール部材50における座金40とは反対側の面、及び第２シール部材60における座金40とは反対側の面に、それぞれ粘着層を形成しておくとともに、これらの粘着層を覆う（保護する）ように剥離紙を貼り付けておく。そして、使用時には、まず、第１シール部材50及び第２シール部材60からそれぞれ剥離紙を剥がし、次に、ボルト30の軸部31の外側に座金40を嵌め、その後、ボルト30の軸部31を室外側から室内側に向けて貫通孔12に挿入する。そうすると、座金40とボルト30の頭部32との間に第１シール部材50を配置するとともに、座金40と外壁10の室外側の面（防水面）との間に第２シール部材60を配置することができる上に、ボルト30の頭部32と第１シール部材50とを粘着層で接着し、かつ外壁10の室外側の面（防水面）と第２シール部材60とを粘着層で接着することができる。これにより、現場での作業性を向上させることができるとともに、雨水等の貫通孔12への浸入をより確実に防止できる。
【００２４】
また、「付勢部材70」は、ボルト30の軸部31の外側に嵌められ、かつ外壁10の室内側の面とナット80との間に配置され、かつ弾性変形可能な部材である。
そして、ボルト30に対してナット80が締め付けられた状態では、付勢部材70が圧縮され、かつ第１シール部材50が座金40及びボルト30の頭部32の双方に圧接するとともに、第２シール部材60が座金40及び外壁10の室外側の面（防水面）の双方に圧接する。
また、振動又は外壁10を構成する木材11の収縮によりボルト30に対するナット80の締め付けが緩んだ状態では、圧縮された付勢部材70が元の状態に戻る際の復元力により、第１シール部材50が座金40及びボルト30の頭部32の双方に圧接するとともに、第２シール部材60が座金40及び外壁10の室外側の面（防水面）の双方に圧接する。
【００２５】
すなわち、付勢部材70は、ボルト30に対するナット80の締め付けが緩んだ際においても、第１シール部材50が座金40及びボルト30の頭部32の双方に圧接するとともに、第２シール部材60が座金40及び外壁10の室外側の面（防水面）の双方に圧接するように、ボルト30を付勢するものである。
また、付勢部材70として、たとえば、スプリングワッシャー（ばね座金）を用いることができる。また、付勢部材70は、スプリングワッシャーに限られるものではなく、たとえば、ウェーブワッシャー（波形座金）や、リング状のゴム等の弾性体を用いることもできる。
【００２６】
そして、たとえば、外壁10の室内側に梁受け金物20を取り付ける場合、貫通孔12の位置に、梁受け金物20のボルト孔21を合わせて、ボルト30の軸部31を、貫通孔12及びボルト孔21に挿入する。その後、外壁10の室内側において、まず、ボルト30の軸部31の外側に付勢部材70を嵌め、次に、ボルト30の軸部31にナット80を螺合させて締め付ける。このようにして、外壁10の室内側に梁受け金物20を取り付ける。この場合、外壁10の室内側の面とナット80との間に、梁受け金物20及び付勢部材70が配置されることとなる。
【発明の効果】
【００２７】
本発明によれば、座金40とボルト30の頭部32との間に、これらの間の隙間を塞ぐ第１シール部材50を配置するとともに、座金40と外壁10の室外側の面（防水面）との間に、これらの間の隙間を塞ぐ第２シール部材60を配置した。そして、ボルト30に対するナット80の締め付けが緩んだ際においても、付勢部材70がボルト30を付勢することにより、第１シール部材50が座金40及びボルト30の頭部32の双方に圧接するとともに、第２シール部材60が座金40及び外壁10の室外側の面（防水面）の双方に圧接するようにした。
【００２８】
このため、座掘り13内にコーキング剤を充填する等の防水対策を施すことなく、ボルト30に対するナット80の締め付けが緩んだ際においても、貫通孔12を通じて室外側から室内側に雨水等が浸入しないようにすることができる。
したがって、外壁10の構築時やボルト30に対するナット80の締め直し時における作業が煩雑にならないようにしつつ、かつ建物の美観を損なわないようにしつつ、貫通孔12を通じて室外側から室内側に雨水等が浸入しないようにすることができる。
【図面の簡単な説明】
【００２９】
【図１】本発明の実施の形態に係る締結具を示す分解斜視図。
【図２】本発明の実施の形態に係る締結具を示す断面図。
【発明を実施するための形態】
【００３０】
本発明の実施の形態を、図１及び図２に基づいて説明する。
（外壁10／ログ外壁10）
ログ外壁10は、丸太組構法によって構築される外壁10である。
また、丸太組構法とは、丸太、製材その他これに類する木材11（以下「ログ材11」という）を水平に積み上げることにより壁を構築する構法をいう（国土交通省告示第四百十一号）。
このようにして構築されたログ外壁10は、ログハウスの構造躯体を構成している。
【００３１】
ここで、ログ材11は、年月が経過すると、乾燥により収縮する。特に、断面がＤ字形のＤ形ログ材11は、断面が四角形状のＩ形ログ材11と比較すると、乾燥による収縮幅が大きい。そして、ログ外壁10の室外側から室内側まで貫通する貫通孔12を設け、この貫通孔12に挿入したボルト30でログ外壁10の室内側に梁受け金物20を取り付ける場合には、ログ外壁10の構築時にはボルト30に対してナット80をしっかりと締め付けていても、年月が経過し、ログ材11が乾燥により収縮していくに従って、ボルト30に対するナット80の締め付けが次第に緩んでくる。また、振動により、ボルト30に対するナット80の締め付けが緩むこともある。そうすると、貫通孔12を通じて室外側から室内側に向けて雨水等が浸入してくることがあるので、これを防止する必要がある。
【００３２】
そこで、本実施形態では、以下に示すようにして、ログ外壁10の構築時やボルト30に対するナット80の締め直し時における作業が煩雑にならないようにしつつ、かつログハウスの美観を損なわないようにしつつ、ボルト30に対するナット80の締め付けが緩んだ際においても、貫通孔12を通じて室外側から室内側に向けて雨水等が浸入しないようにしている。
以下、室外側から室内側へ向けて雨水等の水が浸入するのを阻止する機能を有する面を防水面として、本実施形態に係る締結具について更に詳しく説明する。
【００３３】
図１及び図２に示すように、本実施形態では、ログ外壁10は、複数本のＤ形ログ材11を水平に積み上げて構築されている。また、各Ｄ形ログ材11は、凸曲面が室外側を向くように配置されている。このため、ログ外壁10の室外側の面は、上下方向に凹凸を繰り返す形状になっているが、ログ外壁10の室内側の面は、平坦になっている。また、本実施形態では、ログ外壁10は、構造材のみから構成されており、仕上げ材等を含まない構成となっている。このため、本実施形態のログ外壁10では、室外側において、防水面と仕上げ面とが一致している。
また、ログ外壁10の室内側における、梁15の接合位置には、梁15の外形とほぼ同一形状のほぞ穴14が設けられ、このほぞ穴14に梁15の端部が差し込まれている。さらに、梁15の端部は、Ｌ字形の２つの梁受け金物20で、ログ外壁10の室内側に固定されている。
【００３４】
また、ログ外壁10における、梁受け金物20の取り付け位置には、室外側から室内側まで貫通する貫通孔12が設けられている。上述したように、本実施形態では、ログ外壁10は、構造材のみから構成されており、室外側において、防水面と仕上げ面とが一致している。このため、貫通孔12は、ログ外壁10の室外側の面（防水面かつ仕上げ面）から室内側の面（仕上げ面）まで貫通するように形成されている。また、貫通孔12の内径は、ボルト30の軸部31の直径よりもわずかに大きい程度に設定されている。さらに、Ｄ形ログ材11の凸曲面における、貫通孔12の周囲には、座掘り13が形成されている。また、座掘り13の内径及び深さは、ボルト30の頭部32及び座金40がちょうど収まる程度に設定されている。そして、座掘り13の底面は、防水面かつ仕上げ面となっている。なお、梁受け金物20のボルト孔21の内径は、ボルト30の軸部31の直径よりもわずかに大きい程度に設定されており、貫通孔12の内径とほぼ同一に設定されている。
また、ボルト30は、軸部31と、軸部31の一方の端部に設けた頭部32とを有している。ボルト30の長さは、ボルト30の軸部31を貫通孔12に挿入し、ボルト30の頭部32をログ外壁10の室外側に当接させた際に、ボルト30の軸部31の先端付近がログ外壁10の室内側に突出する程度に設定されている。
【００３５】
また、座金40は、ボルト30の軸部31の外側に嵌められ、かつボルト30の頭部32とログ外壁10の室外側の面（座掘り13の底面、すなわち、防水面かつ仕上げ面）との間に配置される。この座金40により、ボルト30の頭部32がログ材11に座屈するのを防止するようにしている。本実施形態では、座金40は、金属製のものを用いている。また、座金40の内径は、ボルト30の軸部31の直径よりもわずかに大きい程度に設定されており、座金40の外径は、ボルト30の頭部32の直径よりもやや大きい程度に設定されている。
【００３６】
さらに、本実施形態では、座金40の両面には、ログ外壁10の室外側から貫通孔12内に雨水等が浸入しないようにするためのシール部材（第１シール部材50及び第２シール部材60）が予め貼り付けられている。第１シール部材50は、座金40とボルト30の頭部32との間に配置され、これらの間の隙間をボルト30の軸部31の周囲の全周にわたって塞ぐものであり、第２シール部材60は、座金40とログ外壁10の室外側の面（座掘り13の底面、すなわち、防水面かつ仕上げ面）との間に配置され、これらの間の隙間をボルト30の軸部31の周囲の全周にわたって塞ぐものである。
【００３７】
本実施形態では、第１シール部材50及び第２シール部材60は、両面粘着シートを用いて形成されている。この両面粘着シートは、厚さが１ｍｍ程度のアクリル製のシートを基材とし、その表裏両面には粘着層が形成され、これらの粘着層を覆う（保護する）ように剥離紙が貼り付けられたものである。このような両面粘着シートを、内径が座金40よりもやや大きく、かつ外径が座金40よりもやや小さいリング状にカットする。そして、リング状にカットした両面粘着シートの一方の面の剥離紙を剥がし、これを座金40の一方の面（表面）に貼り付ける。座金40の他方の面（裏面）についても同様に、リング状にカットした両面粘着シートの一方の面の剥離紙を剥がして貼り付ける。このようにして、座金40の一方の面に第１シール部材50を、他方の面に第２シール部材60を、それぞれ予め貼り付けたものを形成する。
【００３８】
また、第１シール部材50の座金40とは反対側の面、及び第２シール部材60の座金40とは反対側の面については、未使用時には、粘着層を覆う剥離紙を貼り付けたままにしておく。
そして、使用時には、まず、第１シール部材50及び第２シール部材60からそれぞれ剥離紙を剥がし、次に、ボルト30の軸部31の外側に座金40を嵌め、その後、ボルト30の軸部31を室外側から室内側に向けて貫通孔12に挿入する。そして、ボルト30の軸部31の先端付近を、ログ外壁10の室内側に突出させる。そうすると、ボルト30の頭部32は、ログ外壁10の室外側に配置される。また、ボルト30の頭部32及び座金40は、座掘り13内に収まる。また、第１シール部材50は、座金40とボルト30の頭部32との間に配置され、第２シール部材60は、座金40とログ外壁10の室外側の面（防水面）との間に配置される。さらに、ボルト30の頭部32と第１シール部材50とが粘着層によって接着され、ログ外壁10の室外側の面（防水面）と第２シール部材60とが粘着層によって接着される。
【００３９】
また、付勢部材70は、ボルト30の軸部31の外側に嵌められ、かつログ外壁10の室内側の面（仕上げ面）とナット80との間に配置され、かつ弾性変形可能な部材である。本実施形態では、付勢部材70として、スプリングワッシャー（ばね座金）を用いている。
そして、ログ外壁10の室内側に梁受け金物20を取り付ける際には、梁受け金物20のボルト孔21を貫通孔12の位置に合わせて、ボルト30の軸部31をボルト孔21に挿入する。その後、ログ外壁10の室内側において、まず、ボルト30の軸部31の外側に付勢部材70を嵌め、次に、ボルト30の軸部31にナット80を螺合させて、これを締め付ける。このようにして、ログ外壁10の室内側に梁受け金物20を取り付ける。そうすると、ログ外壁10の室内側の面（仕上げ面）とナット80との間に、梁受け金物20及び付勢部材70が配置されることとなる。
【００４０】
そして、ボルト30に対してナット80が締め付けられた状態では、付勢部材70が圧縮され、かつ第１シール部材50が座金40及びボルト30の頭部32の双方に圧接するとともに、第２シール部材60が座金40及びログ外壁10の室外側の面（防水面）の双方に圧接する。
また、振動又はログ外壁10を構成するログ材11の収縮によりボルト30に対するナット80の締め付けが緩んだ状態では、圧縮された付勢部材70が元の状態に戻る際の復元力により、第１シール部材50が座金40及びボルト30の頭部32の双方に圧接するとともに、第２シール部材60が座金40及びログ外壁10の室外側の面（防水面）の双方に圧接する。
すなわち、付勢部材70は、ボルト30に対するナット80の締め付けが緩んだ際においても、第１シール部材50が座金40及びボルト30の頭部32の双方に圧接するとともに、第２シール部材60が座金40及びログ外壁10の室外側の面（防水面）の双方に圧接するように、ボルト30を付勢するものである。
【００４１】
（作用・効果）
以上説明したように、本実施形態では、座金40とボルト30の頭部32との間に、これらの間の隙間を塞ぐ第１シール部材50を配置するとともに、座金40とログ外壁10の室外側の面（防水面）との間に、これらの間の隙間を塞ぐ第２シール部材60を配置している。そして、ボルト30に対するナット80の締め付けが緩んだ際においても、付勢部材70がボルト30を付勢することにより、第１シール部材50が座金40及びボルト30の頭部32の双方に圧接するとともに、第２シール部材60が座金40及びログ外壁10の室外側の面（防水面）の双方に圧接するようにしている。
【００４２】
このため、座掘り13内にコーキング剤を充填する等の防水対策を施すことなく、ボルト30に対するナット80の締め付けが緩んだ際においても、貫通孔12を通じて室外側から室内側へ向けて雨水等が浸入しないようにすることができる。
したがって、ログ外壁10の構築時やボルト30に対するナット80の締め直し時における作業が煩雑にならないようにしつつ、かつログハウスの美観を損なわないようにしつつ、貫通孔12を通じて室外側から室内側へ向けて雨水等が浸入しないようにすることができる。
【００４３】
また、座金40の一方の面に第１シール部材50を、他方の面に第２シール部材60を、それぞれ予め貼り付けておくようにしたので、現場での作業性を向上させることができる。
さらに、ボルト30の頭部32と第１シール部材50とを粘着層によって接着するとともに、ログ外壁10の室外側の面（防水面）と第２シール部材60とを粘着層によって接着するようにしたので、雨水等の貫通孔12への浸入をより確実に防止できる。
なお、上記実施形態では、ログ外壁10を例に締結具を説明したが、外壁10はログ外壁10に限られるものではない。
【符号の説明】
【００４４】
１０  外壁（ログ外壁）
１１  木材（ログ材）
１２  貫通孔
１３  座掘り
１４  ほぞ穴
１５  梁
２０  梁受け金物
２１  ボルト孔
３０  ボルト
３１  軸部
３２  頭部
４０  座金
５０  第１シール部材
６０  第２シール部材
７０  付勢部材
８０  ナット
【図１】
0005681670.tif 000002
【図２】
0005681670.tif 000003